(57)【特許請求の範囲】
【請求項１】
削るべき鉛筆を複数の半径方向保持舌片（８）によってチャック中心軸線（４）に対して同軸的に締付け固定するチャック（１）を備え、このチャック（１）がチャックハウジング（２、３）内に支持され、チャック（１）の各保持舌片（８）がばね圧に抗した回動運動によってそれぞれ一緒に鉛筆から離される鉛筆削り機において、
保持舌片（８）の一端が、チャック中心軸線（４）を間隔を隔ててほぼリング状に包囲しチャック中心軸線（４）を中心として回動できる保持枠（７）に、それぞれ固く結合され、チャックハウジング（２、３）が、保持舌片（８）の回動路の中に入り込んでいる軸方向に延びる複数のストッパ（１５）を支持し、保持枠（７）がチャックハウジング（２、３）に対して回動された際、上記ストッパ（１５）が保持舌片（８）をその締付け位置から片側固定の棒ばねのように弾力的に外に曲げ、保持舌片の保持端（１０）が外側に変位して鉛筆を釈放することを特徴とする鉛筆削り機。
【請求項２】
保持舌片（８）および保持枠（７）が一体に形成され、弾性プラスチックから成っていることを特徴とする請求項１記載の鉛筆削り機。
【請求項３】
保持枠（７）および保持舌片（８）がポリオキシメチレンから成っていることを特徴とする請求項２記載の鉛筆削り機。
【請求項４】
チャック（１）の休止状態において、保持舌片（８）が弛緩してチャックハウジング（２、３）の回動ガイド内に置かれていることを特徴とする請求項１ないし３のいずれか１つに記載の鉛筆削り機。
【請求項５】
保持枠（７）がほぼ円環リングを形成し、チャック中心軸線（４）を中心として限られた角度範囲において回転運転可能に支持されていることを特徴とする請求項１ないし４のいずれか１つに記載の鉛筆削り機。
【請求項６】
保持枠（７）が、これを回動操作するために、チャックハウジング（２、３）からほぼ半径方向に突出した開放レバー（１３）を備えていることを特徴とする請求項１ないし５のいずれか１つに記載の鉛筆削り機。
【請求項７】
回動操作用の支え（１４）として作用するハウジング固定の突起が、チャックハウジング（２、３）の外側面に、開放レバー（１３）から円周方向に間隔を隔てて配置されていることを特徴とする請求項６記載の鉛筆削り機。
【発明の詳細な説明】
【０００１】
本発明は、特許請求の範囲の請求項１の前文に記載の鉛筆削り機に関する。ここで、チャックで締付け固定すべき部材としての「鉛筆」は、鉛筆や色鉛筆だけでなく、化粧用ペンシル、鉛筆芯、あるいは類似した棒状の物品を意味する。
【０００２】
このような鉛筆削り機は、ドイツ特許出願公開第２０１５６８３号明細書および米国特許第３２２７１４０号明細書で知られている。その場合、鉛筆はチャックに固く（相対回転不能に）保持され、切削刃が鉛筆の尖端部位においてその周りを駆動回転する。その回転駆動は電動で、あるいは手動で行われる。チャックは、軸方向に移動可能なチャックハウジングの内部において、切削刃を含む削り機本体ハウジングで、軸方向に移動可能に案内されている。チャックハウジングは、鉛筆尖端が回転切削刃の回転平面に向けて自動的に軸方向に送られるように、ばね圧によって軸方向に切削刃に向けて押されている。
【０００３】
この公知の鉛筆削り機におけるチャックは多分割構造に形成され、このために製造技術的に労力がかかる。各保持舌片はそれぞれ、チャックハウジングにあるハウジング固定の軸を中心として回動可能に支持されている。各保持舌片の外側作動端は、チャック中心軸線をリング状に包囲する別個の保持枠に、駆動的に接続されている。その保持枠は、その円周方向に作用するねじりばねによって、チャック中心軸線を中心として回動可能に、チャックハウジングの内部に支持されている。ねじりばねの圧力に抗して保持枠を回動することによって、保持舌片の保持端はチャックを開き、鉛筆は簡単に取り出せる。保持枠の円周方向に作用するねじりばねは、保持舌片の保持端を、鉛筆に対する締付け位置に、あるいは中心軸線に近い閉鎖位置に、自動的に回し戻す。
【０００４】
ドイツ特許出願公告第１０６３９３４号明細書において鉛筆削り機用の類似したチャックが知られている。ここでは、保持枠に回動力を与えるために、ねじりばねの代わりに、円周方向に延びる複数のコイルばねが設けられている。ドイツ特許第４７２７２５号明細書において、鉛筆削り機用の他のチャックが知られている。そのチャックは、ハウジング固定の軸を中心として回動可能に支持され、鉛筆用の貫通開口に対してほぼ接線方向に延びている複数のレバーによって形成されている。それらの各レバーは、その貫通開口の範囲に、チャックの閉鎖位置において貫通開口の中に突入する締付けジョーを有している。各レバーはその外側端が回動可能なチャックカバーにある切欠きに係合しているので、ばね力で寄り集めて保持された締付けジョーは、チャックカバーが回転された際、ほぼ半径方向外側に向けて動かされ、互いに引き離される。これらの公知のチャックの場合も、不利に多分割構造に形成され、このために製造技術的に労力がかかる。
【０００５】
本発明の課題は、冒頭に述べた形式の鉛筆削り機を構造的に単純にすることにある。この課題は、特許請求の範囲の請求項１に記載の手段によって解決される。従来の技術において各部品の相対回転あるいは相対移動を多分割構造によって達成していたことを、本発明では、保持枠およびこれに相対回転も相対移動もできないように固定された保持舌片だけで実現している。本発明の場合、円周方向に作用する特別なねじりばねは不要である。その理由は、保持枠に複数の保持舌片をそれぞれ片側固定の棒ばねの形で設け、これらの各保持舌片をチャックハウジングに固定の複数のストッパにそれぞれ当接させることによって、上述のねじりばねと同じ作用が得られるからである。
【０００６】
特に、請求項２に基づいて、保持枠および保持舌片が一体に形成されていることが有利である。一体に単一品として形成されたチャックに対する材料として、請求項３に基づいて、ポリオキシメチレン（ＰＯＭ）を利用することにより、保持舌片の弾性が長期にわたって保証される。
【０００７】
請求項４に基づく配置構造によれば、チャックを（従来のように）バイアス圧を与えた状態でチャックハウジングの中に入れる必要がないので、チャックを特に簡単に組み立てることができる。
【０００８】
請求項６および請求項７に基づいて、チャックは片手で単純に操作することができる。
【０００９】
請求項８に基づいて、保持枠に対して、保持舌片の形状自由度、ばね挙動および回動運動に影響を与えることなしに、大きな形成自由度が得られる。これは特に、保持舌片が保持枠に固定され、特にそれと一体に形成されているので、有利である。
【００１０】
保持舌片のばね特性は、請求項９に基づいて、保持舌片の個々の長手範囲における横断面積の寸法によって簡単に設定できる。その場合特に、保持舌片と保持枠との結合部位が、材料にとって有害な大きなねじり応力から保護される。
【００１１】
請求項１０に基づいて、保持舌片の保持端のくわえ性が向上される。請求項１２および請求項１３に基づいて、鉛筆削り機の製造が一層単純化される。
【００１２】
以下図に示した実施例を参照して本発明を詳細に説明する。
【００１３】
本発明に基づく鉛筆削り機は、図１および図２に示されているチャック１を有している。このチャック１は、長方形の槽の形をした外側殻２として形成されたチャックハウジング部分の中に、チャック中心軸線４の周りに支持されている。チャック１および外側殻２は、個々に図３ないし図５および図６に詳細に示されている。外側殻２は内側殻３（図１に示されていない）によってほぼ紙面平面において閉じられ、チャックハウジング２、３を形成している。ここで「半径方向」および「軸方向」とは、チャック中心軸線４に関する半径方向および軸方向を意味する。
【００１４】
チャック１を支持するために、外側殻２の内面５に設けられた複数の軸方向突起６が使われる。これらの軸方向突起６は、チャック１のほぼ円板状保持枠７の外周面部位に接している。保持枠７の円周方向においてその軸方向突起６と接触する部位からずれた位置に、複数の断面矩形のほぼ棒状保持舌片８がこの保持枠に一体に形成して設けられている。その際、保持舌片８は側面部分によって保持枠７の正面９に対して僅かな間隔を隔てて置かれ、その側面部分からほぼ半径方向へチャック中心軸線４の方向に延びている。保持舌片８はその横断面高さ即ちその軸方向における寸法が図６ｂから理解できるようにくさび状に徐々に細くなっている。保持舌片８の半径方向内側保持端１０は、円周方向に幅広くされて延び、（図１に示されている）チャック１の休止状態において互いに近接している。くわえ性を向上するために、保持舌片８の半径方向内側面は保持溝１１を備えている。
【００１５】
保持枠７は、この保持枠７がチャック中心軸線４を中心として限られた角度範囲で回動できるように、軸方向突起６によって支持されている。図１および図２にそれぞれ、チャック１の閉鎖位置および開放位置に相当する保持枠７の終端位置が示されている。チャック１を開放操作するためおよびこれに伴って保持枠７を回動させるために、チャックハウジング２、３にあるスリット１２を通して突出する開放レバー１３が、保持枠７に設けられている。スリット１２の長さが保持枠７の最大回動行程を制限する。開放レバー１３に対向する支え１４として、開放レバー１３に対して回動方向に間隔を隔てて、外側殻２の外側に突起が設けられている。
【００１６】
休止状態において、各保持舌片８は弛緩した状態で、外側殻２の内面５から突出するストッパ１５に接している。そのストッパ１５は、これが保持舌片８に保持端１０の近くで回動方向に向いた面で接触するように、位置づけられている。保持枠７およびこの保持枠７に結合された保持舌片８が回動された際、保持舌片８は回動路の中に入り込んでいるストッパ１５によって、片側固定の棒ばねのように弾力的に変形する。この変形は保持枠７の平面の前に位置する平行平面内で行われる。これによって、保持端１０は、図２に示されているように、半径方向外側に変位する。これによって、チャック１はその開放位置となる。
【００１７】
いまや、削るべき鉛筆は、チャックハウジング２、３並びに保持枠７に設けられている貫通開口１６を通してチャック１の中に挿入することができる。開放レバー１３を緩めると、チャック１は、曲げられた保持舌片８の復帰力によって、自動的にその閉鎖位置の方向に回動する。その場合、挿入されている鉛筆は、戻ろうとする保持端１０によって、チャック中心軸線４に対して同軸的に、チャック１に関して固く相対回転不能に締付け固定される。
【００１８】
組立過程は図６に示されているように行われる。即ち、まずチャック１は、破線に沿って図１におけるように外側殻２の中に入れられる。そして、外側殻２が内側殻３によって閉鎖される。内側殻３は図７に示されているように平らに形成され、その内面１７に、網状に延びる補強リブ１８を有している。外側殻２と内側殻３との結合は普通に形成されたスナップ結合部１９によって行われる。
【００１９】
チャックハウジング２、３は軸方向ガイド２０を介して、切削刃を含む機械ハウジング（図示せず）に沿って軸方向に移動可能に案内される。この軸方向ガイド２０は内側殻３の外面２１に一体に形成されている。
【図面の簡単な説明】
【図１】  保持枠が休止状態にあるチャックハウジングの外側殻の内面図。
【図２】  保持枠がチャックの開放位置に回動されているチャックハウジングの外側殻の内面図。
【図３】  保持舌片が一体に形成されている保持枠の正面図。
【図４】  図３の部分ＩＶ（保持枠における保持舌片の接合部位）の拡大詳細図。
【図５】  保持枠が存在していない状態におけるチャックハウジングの外側殻の内面図。
【図６】  チャックハウジングの分解側面図で、ａ）はアキシャルガイドが一体形成された内側殻の側面図、ｂ）は保持枠と保持舌片とから成る本来のチャックの側面図、ｃ）は外側殻の側面図。
【図７】  チャックハウジングの内側殻の図で、ａ）は図６における矢印ＶＩＩａ方向から見た内側殻の側面図、ｂ）は矢印ＶＩＩｂ方向から見た内側殻の外面図、ｃ）は矢印ＶＩＩｃ方向から見た内側殻の内面図。
【符号の説明】
１    チャック
２    外側殻
３    内側殻
４    チャック中心軸線
５    内側殻の内面
６    軸方向突起
７    保持枠
８    保持舌片
９    保持枠の正面
１０    保持端
１１    保持溝
１２    スリット
１３    開放レバー
１４    支え
１５    ストッパ
１６    貫通開口
１７    内側殻の内面
１８    補強リブ
１９    スナップ結合部
２０    軸方向ガイド
２１    内側殻の外面
【図１】
0004350304.tif 000002
【図２】
0004350304.tif 000003
【図３】
0004350304.tif 000004
【図４】
0004350304.tif 000005
【図５】
0004350304.tif 000006
【図６】
0004350304.tif 000007
【図７】
0004350304.tif 000008